(57)【特許請求の範囲】
【請求項１】
連結すべき両部材の一方に連結板を、他方に上記連結板が挿入され、該連結板に係脱すべきロック手段をそれぞれ設けた構成において、
上記連結板は、上記ロック手段への挿入方向へ延長する矩形板であって、該挿入方向に沿って一定間隔をあけて複数の被係止部を配設し、
上記ロック手段には、上記連結板が挿脱されるべき案内孔を設けると共に、上記挿入された連結板の被係止部に係止してその位置にロックすべき係止部を有する弾性ロック部材を弾性変位自在に設け、
上記弾性ロック部材は、押し操作による弾性変位で該係止部を上記連結板から離間し、上記押しの解除による弾性復元で該係止部を上記被係止部に係止可能の位置におく位置関係にある、
両部材間の間隔調節式連結装置。
【発明の詳細な説明】
【０００１】
【発明の属する技術分野】
本発明は、ゴーグルにおけるブリッジとアイカップとの連結、ブラジャーの両カップの連結、複数バンドからなる長さ調節式ヘアバンド、ヘッドホンバンド等の両バンドの連結、バンド式開口径調節帽子のバンドの連結、ベルト締着式くつ、サンダル等のベルトの連結その他種々の物品における両部材を間隔調節自在に連結する連結装置に関する。
【０００２】
【従来の技術】
従来、例えば、ゴーグルにおけるブリッジとアイカップとの間隔調節式連結装置として、一方のブリッジの両端から、矩形の連結板本体に複数の係止突起を前後方向に間隔をあけて突設してなるゴム製連結板をそれぞれ延出し、他方の２つのアイカップにそれぞれ突設されたブラケットに、上記連結板本体が挿脱可能の被係止孔をそれぞれ開設し、上記被係止孔に上記連結板の係止突起部分を強制的に加圧変形させて抜け止め状態に挿通させるものや、一方のブリッジの両端から、小幅の基板に左右横方向に張り出す複数の係止片を前後方向に間隔をあけて形成してなる合成樹脂製連結板をそれぞれ延出し、他方の２つのアイカップにそれぞれ突設されたブラケットに、上記連結板の係止片が縦に向けると挿入可能となる縦長の被係脱孔をそれぞれ設け、上記連結板の係止片部分を縦に向けて上記被係止孔に挿入し、ついで上記係止片部分を横向きに９０度回転させて抜け止め状態におくものが知られている。
【０００３】
しかし、前者の従来装置は、両アイカップ間隔の調節のため上記被係止孔への連結板の係脱を繰り返すと、係止突起に摩耗、損傷が生じ、係止不能となり易い欠点があり、また後者の従来装置は、ゴーグルを顔から外す等の不使用時に、上記係止片が被係止孔から外れ易い難点があり、さらに両者ともアイカップ間隔の調節操作に手間のかかる欠点があった。
【０００４】
【発明が解決しようとする課題】
本発明は、係止部分の摩耗、損傷の防止とともに確実な連結を実現し、しかも両部材の間隔調節操作を容易化すことを課題とする。
【０００５】
【課題を解決するための手段】
上記課題解決のため、本発明は、
連結すべき両部材の一方に連結板を、他方に上記連結板が挿入され、該連結板に係脱すべきロック手段をそれぞれ設けた構成において、
上記連結板は、上記ロック手段への挿入方向へ延長する矩形板であって、該挿入方向に沿って一定間隔をあけて複数の被係止部を配設し、
上記ロック手段には、上記連結板が挿脱されるべき案内孔を設けると共に、上記挿入された連結板の被係止部に係止してその位置にロックすべき係止部を有する弾性ロック部材を弾性変位自在に設け、
上記弾性ロック部材は、押し操作による弾性変位で該係止部を上記連結板から離間し、上記押しの解除による弾性復元で該係止部を上記被係止部に係止可能の位置におく位置関係にある、
両部材間の間隔調節式連結装置を提案する。
【０００６】
本発明における上記「被係止部」と「係止部」とは、溝、孔等とそれに係止する突起、突条、ピン等その他種々の係止構造のものを含む。
また、上記ロック手段における上記「弾性ロック部材」には、合成樹脂、金属等の弾性材からなる弾性板、コイルバネ、ヒゲバネ等、その他種々の弾性部材に上記の係止部を設けたものが含まれる。
さらに、上記弾性ロック部材を「ロック手段に…設け」とは、弾性ロック板のみを予め別体につくり、もしくは弾性ロック板をロック手段の一部の部材と一体につくり、これをロック手段の所定位置に組みつけるもの、または弾性ロック板をロック手段に一体につくったもの、を含む。
以下本発明をゴーグルにおけるブリッジとアイカップとの連結装置を実施した例について図面を参照して説明する。
【０００７】
【実施例】
図１において、ゴーグルの２つのアイカップ（１）、（１）の各内側端部に、ロック手段を備えるブラケット（２）、（２）をそれぞれ突設し、両ブラケット（２）、（２）のロック手段に、ブリッジ（３）の両端にそれぞれ設けた連結板をそれぞれ挿入して係脱自在にロックし、それにより両アイカップ（１）、（１）をブリッジ（３）で連結してある。
【０００８】
まず上記ブリッジ（３）の連結板について説明する。図４において、ブリッジ（３）は比較的硬質の合成樹脂からなる矩形板状体で、その両端から、上記ブリッジ（３）よりも幅および厚さを小さくした同材質の矩形板状の連結板（４）、（４）をブリッジ（３）とほぼ同一平面上でそれぞれ上記ロック手段への挿入方向へ向けて延出し、各連結板（４）、（４）の下面に、本例では２本の被係止溝（５）、（５）を上記挿入方向に沿って適宜間隔をあけてそれぞれ形成してある。
【０００９】
上記ブラケット（２）のロック手段は次のようである。図５、６、７において、上記ブラケット（２）に、上記アイカップ（１）面とぼぼ平行に貫通する横断面横長長方形の孔であって、上面中央部を一部開放した貫通孔（６）を設け、該貫通孔（６）の底板を、上記挿入方向に沿って間隔（７）をあけて前部底板（８）および後部底板（９）に形成すると共に、両底板（８）、（９）の中央部に、前部底板（８）は深く、後部底板（９）は浅い凹部（１０）、（１１）をそれぞれ形成してある。
【００１０】
本例のロック手段はロックアセンブリーを別体につくり、これを上記貫通孔（６）内に組みつけた例で、そのアセンブリー（１２）は比較的硬質の弾性合成樹脂板からなるもので、図３に示すように上記貫通孔（６）の横幅より若干広い横幅を有する基部（１３）の中央部から上記凹部（１０）、（１１）よりやや横幅の小さい弾性ロック板（１４）を延出すると共に、該ロック板（１４）の上面ほぼ中間部に、上記連結板（４）の被係止溝（５）、（５）に係脱可能の１本の係止突条（１５）を突設し、さらに上記基部（１３）の両側部から保持板（１６）、（１６）を上記ロック板（１４）の両側に延出すると共に、各保持板（１６）、（１６）の下面に上記間隔（７）に係合可能の爪片（１７）をそれぞれ突設してある。
【００１１】
上記のようなロックアセンブリー（１２）を図８に示すように上記ブラケット（２）の貫通孔（６）内に挿入し、その保持板（１６）、（１６）を前部および後部底板（８）、（９）上に支持させると共に、それらの爪片（１７）、（１７）を上記間隔（７）内にそれぞれ係合させ、それにより上記弾性ロック板（１４）および保持板（１６）、（１６）と、上記貫通孔（６）上板との間に連結板案内孔（６’）を形成すると共に、上記ロック板（１４）を片持ち状態に支持してその自由端（前端）を上記案内孔（６’）からその延長方向前方へ突出させる。
【００１２】
上例の作用を次に説明する。アイカップ（１）にブリッジ（３）を連結する場合は、まずブラケット（２）において、ロック板（１４）の先端部を指で下に押して片持ち状態のロック板（１４）を上記凹部（１０）、（１１）内へ撓ませ、それによりロック板の係止突条（１５）を上記連結板案内孔（６’）から下方へ後退させる。その状態で、ブリッジ（３）の連結板（４）を上記案内孔（６’）内に挿入し、被係止溝（５）、（５）のいずれかを上記係止突条（１５）との対応位置に移動させ、そこで上記ロック板（１４）の押しを解除すると、該ロック板（１４）が元の直線状態に弾性復元し、図２のようにその係止突条（１５）を被係止溝（５）に係止し、それにより連結板（４）を移動不能にロックする。
【００１３】
ブリッジ（３）により連結した両アイカップ（１）、（１）の間隔を変更する場合は、上記ロック板（１４）の前端を押してロック板（１４）を下方へ撓ませ、それにより係止突条（１５）を被係止溝（５）から離脱させ、その状態で連結板（４）を進退させて新たな被係止溝（５）を係止突条（１５）との対応位置に移動させ、そこでロック板（１４）の押しを解除して係止突条（１５）を上記新たな被係止溝（５）に係止させる。
【００１４】
図９は弾性ロック板をロック手段に一体に形成した例で、弾性ロック板（１４ａ）の基部を後部底板（９ａ）に一体に固定してロック板先端部を連結板案内孔（６’ａ）の延長方向前方へ突出し、上例の前部底板（８）に相当するものを除き、他の構造は上例と実質的に同一とした例である。本例においても上例と実質的に同一の作用を行う。
【００１５】
【発明の効果】
本発明の両部材間の間隔調節式連結装置によれば、係止部または被係止部に何ら強制的加圧変形を加えることなく係合させるから、それらに摩耗、損傷を与えることがほとんどないばかりでなく、当該商品の不使用時にも両者の係止が外れることがなく、確実な連結を維持することができるものであり、また間隔調節操作においては、弾性ロック板の押しおよび連結板の進退の簡単な操作によって容易に間隔調節を行うことができ、使用上はなはだ便利である。
【図面の簡単な説明】
【図１】ゴーグルの一部省略正面図である。
【図２】図１のＡ−Ａ線拡大断面図である。
【図３】（イ）ロックアセンブリーの正面図である。
（ロ）（イ）図の左側面図である。
（ハ）（イ）図のＢ−Ｂ線断面図である。
【図４】（イ）連結板つきブリッジの正面図である。
（ロ）（イ）図のＣ−Ｃ線断面図である。
【図５】アイカップのブラケット部分の平面図である。
【図６】図５のＤ−Ｄ線断面図である。
【図７】図５のＥ−Ｅ線断面図である。
【図８】ロックアセンブリーを取りつけたブラケット部分の図７と同一の断面図である。
【図９】他の実施例のブラケット部分の断面図である。
【符号の説明】
１、１ａ  アイカップ
３、３ａ  ブリッジ
４、４ａ  連結板
５、５ａ  被係止溝
６’、６’ａ  連結板案内溝
１４、１４ａ  弾性ロック板
１５、１５ａ  係止突条
【図１】
0003546404.tif 000002
【図２】
0003546404.tif 000003
【図３】
0003546404.tif 000004
【図４】
0003546404.tif 000005
【図５】
0003546404.tif 000006
【図６】
0003546404.tif 000007
【図７】
0003546404.tif 000008
【図８】
0003546404.tif 000009
【図９】
0003546404.tif 000010